(57)【要約】【課題】    光変調装置等の光学素子に直接、冷却空気を送風しなくても冷却効率の向上を図れるとともに、塵埃付着を防止できる光学装置、およびリアプロジェクタを提供する。【解決手段】光学装置は、光変調装置４４０、クロスダイクロイックプリズム４４４、ライトガイド４７、台座４４７、放熱部材４４８、および支持体４４５を備える。光変調装置４４０は、液晶パネルと、熱伝導性材料からなる保持枠とを備え、支持体４４５に熱伝達可能に支持される。支持体４４５は、台座４４７に熱伝達可能に支持固定される。台座４４７は、放熱部材４４８と熱伝達可能に接続する。そして、台座４４７は、クロスダイクロイックプリズム４４４および光変調装置４４０を平面的に覆うようにクロスダイクロイックプリズム４４４の上面に固定され、ライトガイド４７外部から光変調装置４４０への空気の流れを規制する。【選択図】図１２
2005114997.tif 000002
【特許請求の範囲】
【請求項１】
複数の色光を画像情報に応じて変調する光変調装置と、前記光変調装置に対向する光束入射端面、および前記光束入射端面に入射した色光を合成して射出する光束射出端面を有する色合成光学装置と、前記光変調装置および前記色合成光学装置を内部の所定位置に収納保持する光学部品用筐体とを備える光学装置であって、
前記光変調装置は、光変調を実施する光変調素子と、略中央部分に光束透過用の開口部を有し、前記光変調素子を保持する熱伝導性材料からなる保持枠とを備え、
前記色合成光学装置の光束入射端面に交差する端面のうちの少なくとも１またはいずれかの端面に固定され、前記色合成光学装置および前記光変調装置を平面的に覆うように配置される熱伝導性材料からなる台座と、
前記台座と熱伝達可能に接続され、前記台座の熱を放熱する放熱装置と、
前記台座に熱伝達可能に支持固定されるとともに、前記光変調装置が前記色合成光学装置の光束入射端面に対向するように前記光変調装置の保持枠を熱伝達可能に支持する熱伝導性材料からなる支持体とを備え、
前記台座は、前記光変調装置および前記色合成光学装置が前記光学部品用筐体内部の所定位置に収納保持された際に前記光学部品用筐体外部から前記光変調装置への空気の流れを規制することを特徴とする光学装置。
【請求項２】
請求項１に記載の光学装置において、
前記支持体の光束射出端面には、光束入射側に窪む凹部が形成され、
前記光変調装置および前記色合成光学装置の間に介装され、前記光変調装置から射出される光束を光学的に変換する射出側光学変換素子を備え、
前記射出側光学変換素子は、前記支持体の凹部に熱伝達可能に支持固定されることを特徴とする光学装置。
【請求項３】
請求項１または請求項２に記載の光学装置において、
前記光変調装置の光束入射側に配置され、入射する光束を光学的に変換する入射側光学変換素子と、光束透過用の開口部が形成され、前記入射側光学変換素子を熱伝達可能に支持する熱伝導性材料からなる入射側光学変換素子支持枠とを備え、
前記入射側光学変換素子支持枠は、前記支持体または前記台座に熱伝達可能に支持固定されることを特徴とする光学装置。
【請求項４】
請求項１から請求項３のいずれかに記載の光学装置において、
前記支持体は、略中央部分に光束透過用の開口部が形成された矩形板状体と、前記矩形板状体の端縁の少なくとも１つの端縁から前記矩形板状体の略法線方向に突出する突出部とで構成され、前記突出部が前記台座に熱伝達可能に支持固定されることを特徴とする光学装置。
【請求項５】
請求項４に記載の光学装置において、
前記光変調装置の保持枠には、前記開口部周縁に少なくとも２つの孔が形成され、
前記支持体の矩形板状体には、前記保持枠の孔に対応して光束入射側に突出する少なくとも２つのピン状部が形成されていることを特徴とする光学装置。
【請求項６】
請求項１から請求項５のいずれかに記載の光学装置において、
前記支持体および／または前記光変調装置の保持枠には、熱放射率を高める表面処理が施されていることを特徴とする光学装置。
【請求項７】
請求項１から請求項６のいずれかに記載の光学装置において、
前記光変調装置と前記支持体、前記光変調装置および前記色合成光学装置の間に介装される射出側光学変換素子と前記支持体、および、前記光変調装置の光束入射側に配置される入射側光学変換素子と前記入射側光学変換素子を支持する入射側光学変換素子支持枠の少なくともいずれかは、熱伝導性部材を介して熱伝達可能に接続されていることを特徴とする光学装置。
【請求項８】
光源装置と、この光源装置から射出された光束を複数の色光に分離する色分離光学装置と、請求項１から請求項７のいずれかに記載の光学装置と、この光学装置にて形成された光学像を拡大投射する投射光学装置と、前記光源装置、前記色分離光学装置、前記光学装置、および前記投射光学装置を収納する箱状の筐体と、この箱状の筐体のいずれかの側面に露出して設けられ、前記投射光学装置で拡大投射された光学像を投影する透過型スクリーンとを備えていることを特徴とするリアプロジェクタ。
【請求項９】
請求項８に記載のリアプロジェクタにおいて、
前記光学装置を冷却する冷却ファンを備え、
前記冷却ファンは、前記光学装置を構成する放熱装置の放熱部に冷却空気を送風、または前記放熱部近傍の空気を吸入することを特徴とするリアプロジェクタ。
【発明の詳細な説明】
【技術分野】
【０００１】
本発明は、光学装置、およびリアプロジェクタに関する。
【背景技術】
【０００２】
従来、光源から射出された光束をダイクロイックミラーによって三原色の赤、緑、青の色光に分離するとともに、三枚の液晶パネルにより色光毎に画像情報に応じて変調し、画像変調後の各色光をクロスダイクロイックプリズムで合成し、投射レンズを介してカラー画像を拡大投射する、いわゆる三板式のプロジェクタが知られている。
このようなプロジェクタでは、各液晶パネルは投射レンズのバックフォーカスの位置に必ずなければならない。このため、各液晶パネルは、クロスダイクロイックプリズムの光束入射端面に対して相互の位置が調整されるとともに、該光束入射端面に固定されてクロスダイクロイックプリズムと一体化している（例えば、特許文献１参照）。
このようなプロジェクタでは、光源から射出された光束により液晶パネルが加熱されるため、ファンを用いた冷却機構が組み込まれ、プロジェクタの使用中は、ファンにより液晶パネルを冷却している。
このような構造は、リアプロジェクタでも同様である。
【０００３】
【特許文献１】特開２０００−２２１５８８号公報
【発明の開示】
【発明が解決しようとする課題】
【０００４】
しかしながら、特許文献１に記載の液晶パネルの冷却構造では、ファンは、プロジェクタ外部から冷却空気を内部に取り込み、取り込んだ冷却空気を液晶パネルに直接、送風している。このため、外部から取り込んだ冷却空気に塵埃等が含まれやすく、塵埃が液晶パネルに付着するおそれがある。塵埃が液晶パネルに付着した場合には、投射画像内に塵埃が表示陰として映りこんでしまう。
また、塵埃等を除去するフィルタ等を介して外部の空気を取り込む構成とした場合であっても、プロジェクタ内部の冷却流路中に塵埃が含まれている場合には、冷却流路に沿って冷却空気を液晶パネルに直接、送風することで、冷却流路中の塵埃が液晶パネルに付着するおそれがある。
【０００５】
本発明の目的は、光変調装置等の光学素子に直接、冷却空気を送風しなくても冷却効率の向上を図れるとともに、塵埃付着を防止できる光学装置、およびリアプロジェクタを提供することにある。
【課題を解決するための手段】
【０００６】
本発明の光学装置は、複数の色光を色光毎に画像情報に応じて変調する光変調装置と、前記光変調装置に対向する光束入射端面、および前記光束入射端面に入射した色光を合成して射出する光束射出端面を有する色合成光学装置と、前記光変調装置および前記色合成光学装置を内部の所定位置に収納保持する光学部品用筐体とを備える光学装置であって、前記光変調装置は、光変調を実施する光変調素子と、略中央部分に光束透過用の開口部を有し、前記光変調素子を保持する熱伝導性材料からなる保持枠とを備え、前記色合成光学装置の光束入射端面に交差する端面のうちの少なくとも１またはいずれかの端面に固定され、前記色合成光学装置および前記光変調装置を平面的に覆うように配置される熱伝導性材料からなる台座と、前記台座と熱伝達可能に接続され、前記台座の熱を放熱する放熱装置と、前記台座に熱伝達可能に支持固定されるとともに、前記光変調装置が前記色合成光学装置の光束入射端面に対向するように前記光変調装置の保持枠を熱伝達可能に支持する熱伝導性材料からなる支持体とを備え、前記台座は、前記光変調装置および前記色合成光学装置が前記光学部品用筐体内部の所定位置に収納保持された際に前記光学部品用筐体外部から前記光変調装置への空気の流れを規制することを特徴とする。
【０００７】
ここで、放熱装置としては、例えば、伝達された熱を外部に逃がすフィン等の放熱部を備えた、例えばヒートシンク等の放熱装置、内部に冷媒を有して当該冷媒の移動に伴って伝達された熱を移動させる対流熱伝達を利用した、例えば水冷ジャケット、ヒートパイプ等の放熱装置、直流電流を流すことにより吸熱部分と発熱部分が生じるペルチェ効果を利用したペルチェモジュール等の放熱装置を採用でき、適宜、これらを組み合わせて放熱装置として構成してもよい。
また、台座としては、色合成光学装置の各光束入射端面に交差する端面の少なくともいずれかの端面に取り付けられていればよく、前記端面の全てに取り付けられる構成としてもよく、前記端面のうちの１つの端面に取り付けられる構成としてもよい。
さらに、台座が平面的に光変調装置および色合成光学装置を覆うとは、該台座が取り付けられる色合成光学装置の端面側から見て、該台座により光変調装置および色合成光学装置が隠れることを意味する。
また、光変調装置および色合成光学装置が光学部品用筐体内部の所定位置に収納保持された際に、台座により光学部品用筐体外部から光変調装置への空気の流れを規制するとは、例えば、以下の構成を採用できる。
例えば、光学部品用筐体を容器状に形成し、台座にて容器状の開口部分を閉塞する構成がある。
また、例えば、光学部品用筐体において、色合成光学装置および光変調装置の設置位置に対応して開口部分を形成しておき、台座にて前記開口部分を閉塞するような構成がある。
本発明では、光学装置は、光変調装置と、色合成光学装置と、光学部品用筐体と、熱伝導性材料からなる台座および支持体と、放熱装置とを備えている。光変調装置は、光変調素子および熱伝導性材料からなる保持枠により構成され、支持体に熱伝達可能に支持される。また、支持体は、台座に熱伝達可能に支持固定される。さらに、台座は、放熱装置と熱伝達可能に接続する。このことにより、光源装置からの光束が照射されることにより光変調素子に生じる熱を、光変調素子〜保持枠〜支持体〜台座〜放熱装置の熱伝達経路にしたがって逃がすことができる。したがって、光変調素子を冷却するための冷却ファンにより光変調装置に直接、冷却空気を送風しなくても光変調素子の冷却効率の向上を図れる。
また、台座は、光変調装置および色合成光学装置が光学部品用筐体内部の所定位置に収納保持された際に、光学部品用筐体外部から光変調装置への空気の流れを規制する。このことにより、光学部品用筐体における光変調装置の設置位置近傍において、光学部品用筐体内部が略密閉空間となり、外部から光変調装置へと空気の流れにしたがって塵埃が内部に入り込むことを回避でき、光変調装置に塵埃が付着することを防止できる。
【０００８】
本発明の光学装置では、前記支持体の光束射出端面には、光束入射側に窪む凹部が形成され、前記光変調装置および前記色合成光学装置の間に介装され、前記光変調装置から射出される光束を光学的に変換する射出側光学変換素子を備え、前記射出側光学変換素子は、前記支持体の凹部に熱伝達可能に支持固定されることが好ましい。
ここで、射出側光学変換素子としては、例えば、位相差板、視野角補正板、または偏光板等を採用できる。
ところで、このような射出側光学変換素子を採用した場合には、光変調素子と同様に、光束の照射により加熱される。このため、射出側光学変換素子が熱により劣化してしまうおそれがある。
本発明では、支持体の光束射出端面には、凹部が形成されている。そして、射出側光学変換素子は、支持体の凹部に熱伝達可能に支持固定される。このことにより、光束の照射により射出側光学変換素子に生じる熱を、射出側光学変換素子〜支持体〜台座〜放熱装置の熱伝達経路にしたがって逃がすことができ、射出側光学変換素子の熱劣化を回避できる。したがって、冷却ファンによる強制冷却によらずとも、上記熱伝達経路により射出側光学変換素子も冷却できる。
また、射出側光学変換素子も台座により平面的に覆われることになるので、光変調装置と同様に、射出側光学変換素子にも塵埃が付着することを回避できる。
【０００９】
本発明の光学装置では、前記光変調装置の光束入射側に配置され、入射する光束を光学的に変換する入射側光学変換素子と、光束透過用の開口部が形成され、前記入射側光学変換素子を熱伝達可能に支持する熱伝導性材料からなる入射側光学変換素子支持枠とを備え、前記入射側光学変換素子支持枠は、前記支持体または前記台座に熱伝達可能に支持固定されることが好ましい。
ここで、入射側光学変換素子としては、上述の射出側光学変換素子と同様に、例えば、位相差板、視野角補正板、または偏光板等を採用できる。
また、入射側光学変換素子も射出側光学変換素子と同様に、光束の照射により加熱され、熱により劣化してしまうおそれがある。
本発明では、入射側光学変換素子は、熱伝導性材料からなる入射側光学変換素子支持枠により熱伝達可能に支持される。そして、入射側光学変換素子支持枠は、支持体または台座に熱伝達可能に支持固定される。このことにより、光束の照射により入射側光学変換素子に生じる熱を、入射側光学変換素子〜入射側光学変換素子支持枠〜支持体〜台座〜放熱装置、または、入射側光学変換素子〜入射側光学変換素子支持枠〜台座〜放熱装置の熱伝達経路にしたがって逃がすことができ、入射側光学変換素子の熱劣化を回避できる。したがって、冷却ファンによる強制冷却によらずとも、上記熱伝達経路により入射側光学変換素子も冷却できる。
また、入射側光学変換素子を入射側光学変換素子支持枠により光変調装置の光束入射側に配置することで、光変調装置への塵埃の付着をさらに防止できる。
さらに、入射側光学変換素子も台座により平面的に覆われる構成とすれば、光変調装置と同様に、入射側光学変換素子にも塵埃が付着することを回避できる。
【００１０】
本発明の光学装置では、前記支持体は、略中央部分に光束透過用の開口部が形成された矩形板状体と、前記矩形板状体の端縁の少なくとも１つの端縁から前記矩形板状体の略法線方向に突出する突出部とで構成され、前記突出部が前記台座に熱伝達可能に支持固定されることが好ましい。
本発明によれば、支持体は、矩形板状体および突出部で構成され、突出部が台座に熱伝達可能に支持固定されるので、例えば、支持体が板状に形成され、板状端縁にて台座に支持固定される構成と比較して、支持体と台座との接触面積を大きくでき、支持体〜台座の熱伝達経路における熱の伝達効率を向上でき、光変調装置の放熱効率をさらに向上できる。
また、矩形板状体において、台座に支持固定される突出部が形成された端縁と対向する端縁にも突出部を形成すれば、光変調装置、色合成光学装置、台座、支持体、および放熱装置を一体化した後に光学部品用筐体の所定位置に収納保持する際、前記突出部を光学部品用筐体への固定部として機能させることができる。したがって、一体化した光変調装置、色合成光学装置、台座、支持体、および放熱装置を光学部品用筐体に固定するための部材を省略でき、光学装置の小型化および製造コストの低減を図れる。また、台座に支持固定される突出部が形成された端縁と対向する端縁にも突出部を形成すれば、該突出部を前記固定部として機能させる他、ヒートシンク等の放熱装置等の他の部材を支持固定する部材として機能させることも可能となる。
【００１１】
本発明の光学装置では、前記光変調装置の保持枠には、前記開口部周縁に少なくとも２つの孔が形成され、前記支持体の矩形板状体には、前記保持枠の孔に対応して光束入射側に突出する少なくとも２つのピン状部が形成されていることが好ましい。
本発明によれば、光変調装置の保持枠には、少なくとも２つの孔が形成され、支持体の矩形板状体には、保持枠の孔に対応して少なくとも２つのピン状部が形成されているので、光変調装置の支持体への取り付けを容易に実施でき、光学装置の組み立て作業を容易に実施できる。また、光変調装置と支持体の矩形板状体との間の隙間に、例えば、ドライバ等の先端を挿入することで、支持体から光変調装置を容易に取り外すことができ、光変調装置のリワーク性も向上する。
【００１２】
本発明の光学装置では、前記支持体および／または前記光変調装置の保持枠には、熱放射率を高める表面処理が施されていることが好ましい。
ここで、熱放射率を高める表面処理とは、例えば、アルミニウムにて支持体および／または保持枠を構成し、表面にブラックアルマイト処理を施す構成を採用できる。
本発明によれば、支持体および／または保持枠には熱放射率を高める表面処理が施されているので、光変調装置等の光学素子から伝達された熱を台座へと伝達するとともに、支持体および／または保持枠表面から空気中に放射することができる。したがって、光変調装置等の光学素子の冷却効率の向上をさらに図れる。
【００１３】
本発明の光学装置では、前記光変調装置と前記支持体、前記光変調装置および前記色合成光学装置の間に介装される射出側光学変換素子と前記支持体、および、前記光変調装置の光束入射側に配置される入射側光学変換素子と前記入射側光学変換素子を支持する入射側光学変換素子支持枠の少なくともいずれかは、熱伝導性部材を介して熱伝達可能に接続されていることが好ましい。
ここで、熱伝導性部材としては、熱伝導性を有する部材であればその形状および材料は特に限定されないが、熱伝導性部材における熱抵抗を考慮した場合には、薄い板状の形状が好ましく、例えば、グラファイトシート、熱伝導性両面テープ、熱伝導性シート、または銅板等を採用できる。
また、光変調装置と支持体を熱伝導性部材を介して熱伝達可能に接続するとは、光変調装置を構成する保持枠と支持体とを熱伝導性部材を介して熱伝達可能に接続するものでもよく、または、光変調装置を構成する光変調素子と支持体とを熱伝導性部材を介して熱伝達可能に接続するものでもよい。さらに、保持枠と支持体とを熱伝達可能に接続する場合には、薄い板状の形状を有する熱伝導性部材に限らず、熱伝導性部材として熱伝導性の接合剤を採用し、保持枠と支持体とを該接合剤により固着してもよい。なお、熱伝導性の接合剤としては、熱伝導性の接着剤や、はんだ等が例示できる。
本発明によれば、光変調装置と支持体、射出側光学変換素子と支持体、入射側光学変換素子と入射側光学変換素子支持枠のうちの少なくともいずれかが、熱伝導性部材を介して熱伝達可能に接続されているので、上記熱伝達経路の他、光変調装置〜熱伝導性部材〜支持体、射出側光学変換素子〜熱伝導性部材〜支持体、入射側光学変換素子〜熱伝導性部材〜入射側光学変換素子支持枠等の他の熱伝達経路を確保でき、光変調素子、射出側光学変換素子、および入射側光学変換素子等の光学素子の冷却効率をさらに向上させることができる。
また、光変調装置と支持体との固定、射出側光学変換素子と支持体との固定、入射側光学変換素子と入射側光学変換素子支持枠との固定に、熱伝導性部材を用いれば、各部材間における熱抵抗を小さくでき、上記熱伝達経路にしたがって熱を良好に伝達させることができる。
【００１４】
本発明のリアプロジェクタは、光源装置と、この光源装置から射出された光束を複数の色光に分離する色分離光学装置と、上述した光学装置と、この光学装置にて形成された光学像を拡大投射する投射光学装置と、前記光源装置、前記色分離光学装置、前記光学装置、および前記投射光学装置を収納する箱状の筐体と、この箱状の筐体のいずれかの側面に露出して設けられ、前記投射光学装置で拡大投射された光学像を投影する透過型スクリーンとを備えていることを特徴とする。
本発明によれば、リアプロジェクタは、上述した光学装置を備えているので、上述した光学装置と同様の作用・効果を享受できる。
また、リアプロジェクタは、光変調装置等の光学素子への塵埃付着を防止できる光学装置を備えているので、投射光学装置により投射される投射画像上に塵埃が表示陰として映りこむことを回避でき、常に鮮明な投射画像を表示できる。
さらに、リアプロジェクタは、冷却ファンによる強制冷却によらずとも冷却効率の向上を図れる光学装置を備えているので、光学装置を冷却する冷却ファンを省略することが可能となり、静粛性を確保できる。
【００１５】
本発明のリアプロジェクタでは、前記光学装置を冷却する冷却ファンを備え、前記冷却ファンは、前記光学装置を構成する放熱装置の放熱部に冷却空気を送風、または前記放熱部近傍の空気を吸入することが好ましい。
本発明によれば、リアプロジェクタは、光学装置を冷却する冷却ファンを備えているので、上述した光学装置における熱伝達経路による放熱構造と、冷却ファンとを併用することで、光学装置の冷却効率をさらに向上できる。
また、光学装置は、上述した熱伝達経路にしたがって放熱することができるため、冷却ファンの送風量をそれほど高くする必要がなく、冷却ファンを併用した場合であっても、静粛性を十分に確保できる。また、冷却ファンの送風量をそれほど高くする必要がないので、小さい冷却ファンを用いることができ、リアプロジェクタが大型化することがない。
さらに、放熱装置として、例えば、ヒートパイプ等の放熱装置と、ヒートシンク等の放熱装置とを組み合わせた構成とした場合、台座に伝達された熱をヒートパイプ等によりリアプロジェクタ内の空きスペースまで導き、該空きスペースにおいてヒートシンク等により放熱させる構成を採用できる。このような構成では、リアプロジェクタ内のスペースを有効に活用できる。したがって、リアプロジェクタの設計の自由度が高まるとともに、放熱装置を含む光学装置がリアプロジェクタの小型化の障害となることを回避でき、リアプロジェクタの小型化が図りやすくなる。また、この構成においては、ヒートシンク等に他の冷却ファン、例えば、光源装置を冷却するためのファン等による送風を実施し、冷却効率をさらに高めることも可能である。
【発明を実施するための最良の形態】
【００１６】
[１．第１実施形態]
以下、本発明の第１実施形態を図面に基づいて説明する。
[1-1．プロジェクションテレビの構成]
図１は、リアプロジェクタとしてのプロジェクションテレビ１０の正面側斜視図である。
図２は、プロジェクションテレビ１０の背面側斜視図である。
図３は、プロジェクションテレビ１０の内部構造を示す図である。
プロジェクションテレビ１０は、光源から射出された光束を画像情報に応じて変調して光学像を形成し、この光学像をスクリーンに拡大投射するものである。このプロジェクションテレビ１０は、図１ないし図３に示すように、筐体としての上部キャビネット１１および下部キャビネット３１（図１および図２）と、上部キャビネット１１の前面に露出して設けられるスクリーン１４（図１）と、上部キャビネット１１内に配置されるミラー１５（図３）と、下部キャビネット３１内に配置される光学装置としての光学ユニット４０（図３）とで大略構成されている。なお、プロジェクションテレビ１０は、上述した構成の他、具体的な説明を省略するが、光学ユニット４０等に外部からの電力を供給する電源装置、外部から入力された画像情報に応じて光学ユニット４０の駆動制御等を実施する制御基板等も備えている。
【００１７】
[1-1-1.キャビネットの構成]
図１および図２に示すように、上部キャビネット１１および下部キャビネット３１にて、プロジェクションテレビ１０の外観が形成され、これらの上部キャビネット１１および下部キャビネット３１は分離できるように形成されている。
上部キャビネット１１は、図１および図２に示すように、ミラー１５（図３）を収納する筐体であり、ミラー１５（図３）が取り付けられるミラーケース１２と、このミラーケース１２の正面側の開口部周辺に形成され、スクリーン１４を取り付けるフレーム枠１３とを備えている。
【００１８】
図４は、ミラーケース１２を正面側から見た斜視図である。
ミラーケース１２は、図４に示すように、背面壁２１、一対の側壁２２，２３、および底面壁２４から構成されている。
背面壁２１は、長辺が上方に位置する平面視台形状の形状を有し、後方の下側に向かって傾斜するように形成され、内側端面にてミラー１５（図３）を所定角度で支持する。
一対の側壁２２，２３は、背面壁２１の両端縁から前方に向けて突出し、前方に向かうにしたがって外側に傾斜するように形成されている。
底面壁２４は、一対の側壁２２，２３に跨って形成され、長辺が前方側に位置する平面視略台形状の形状を有し、後方の上側に向かって傾斜するように形成されている。この底面壁２４には、前方側略中央部分に切り欠き２４Ａと、前方から見て左側に開口部２４Ｂとが形成されている。
フレーム枠１３は、矩形枠状に形成され、内側端面にてスクリーン１４を所定位置にて保持するものであり、ミラーケース１２の前方側端縁にねじ等により固定される。
【００１９】
図５は、下部キャビネット３１の正面側斜視図である。
下部キャビネット３１は、光学ユニット４０、図示しない電源装置、および図示しない制御基板等を収納する筐体であり、フロントパネル３２（図１）と、側部パネル３３，３４（図２）と、リアパネル３５（図２）と、底面部３６（図５）と、底面部３６上に取り付けられ、光学ユニット４０、前記電源装置、および前記制御装置等を下部キャビネット３１の所定位置に設置する設置部３７（図５）とで構成されている。
フロントパネル３２は、図１に示すように、平面視矩形形状を有し、左右側には略同寸法の矩形状の開口部３８が形成されている。そして、この開口部３８の内部には、それぞれ図示しないスピーカが配設されている。
側部パネル３３，３４は、図２に示すように、平面視台形形状を有し、ミラーケース１２の一対の側壁２２，２３と同様に、前方に向かうにしたがって外側に傾斜するように形成されている。この側部パネル３３，３４には、それぞれスリット状の開口部が形成されている。そして、側部パネル３３に形成された開口部は、内部に冷却空気を導入する吸気口３３１（図２）であり、側部パネル３４に形成された開口部は、内部に導入され内部を冷却した後の空気を排出する排気口３４１（図２）である。
リアパネル３５は、図２に示すように、平面視矩形形状を有し、コンピュータ接続用の接続部や、ビデオ入力端子、オーディオ機器接続端子等の各種の機器接続用端子が設けられている。
底面部３６は、図５に示すように、平面視略台形状の形状を有し、プロジェクションテレビ１０全体を支持する。
【００２０】
設置部３７は、下部キャビネット３１に設置される各装置を囲うように形成され、各装置を適宜、区画している。
この設置部３７において、その上面３７１は、上部キャビネット１１の底面壁２４に対応して後方の上側に向かって傾斜するように形成されている。また、この上面３７１は、正面側から見て略中央部分から左側部分、および正面側から見て右側部分には、それぞれ段付状の段差部３７１Ａ，３７１Ｂが形成されている。
段差部３７１Ａにおいて、右側部分には、切り欠き３７１Ａ１が形成され、この切り欠き３７１Ａ１は、設置部３７に設置される光学ユニット４０（図３）の後述する電気光学装置の上部位置に対応するとともに、設置部３７に設置される光学ユニット４０（図３）の後述する投射レンズが臨むように形成されている。
段差部３７１Ｂにおいて、底面部分には、切り欠き３７１Ｂ１が形成され、この切り欠き３７１Ｂ１は、設置部３７に設置される光学ユニット４０（図３）の後述する光源装置上に取り付けられる排気ファン５４の吐出口に対向する。
また、段差部３７１Ｂにおいて、正面から見て右側部分には、側部パネル３４に形成された排気口３４１（図２）と接続するダクト５５の吸気側が接続する。
また、この設置部３７において、正面から見て左側の端面には、図５に示すように、設置部３７内部に空気を流通させるための孔３７２が形成されている。この孔３７２は、光学ユニット４０（図３）の後述する光源装置と連通し、前記光源装置に空気を流通可能とする。
【００２１】
図６は、図４に示す上部キャビネット１１と図５に示す下部キャビネット３１とを組み合わせた図である。
上部キャビネット１１と下部キャビネット３１とを組み合わせると、図６に示すように、
ミラーケース１２の底面壁２４、および下部キャビネット３１の設置部３７における上面３７１に形成された段差部３７１Ａ（図５）によりダクト２５が形成され、底面壁２４および段差部３７１Ｂ（図５）によりダクト２６が形成される。そして、ダクト２５の吸気側は、上面３７１における切り欠き３７１Ａ１を介して、下部キャビネット３１に設置される光学ユニット４０（図３）の後述する電気光学装置の上部側に対向する。また、ダクト２６の吸気側は、上面３７１における切り欠き３７１Ｂ１（図５）を介して、排気ファン５４の吐出口に対向する。
また、上部キャビネット１１と下部キャビネット３１とを組み合わせると、上部キャビネット１１の切り欠き２４Ａと下部キャビネット３１の切り欠き３７１Ａ１とが対向し、下部キャビネット３１に設置される光学ユニット４０（図３）の後述する投射レンズからミラー１５に向けて投射される映像の光路が形成される。
【００２２】
[1-1-2．スクリーンの構成]
スクリーン１４は、光学ユニット４０の後述する投射レンズで拡大され、ミラー１５で反射された光学像を裏面から投影する透過型スクリーンであり、図１に示すように、上部キャビネット１１のフレーム枠１３によりミラーケース１２の正面側に取り付けられる。
このスクリーン１４は、例えば、フレネルシート、レンチキュラーシート、保護板等にて構成でき、前記投射レンズから射出されミラー１５で反射された光束は、フレネルシートで平行化され、レンチキュラーシートを構成する光学ビーズによって拡散され、表示画像が得られる。
【００２３】
[1-1-3．ミラーの構成]
ミラー１５は、図３に示すように、平面視台形状に形成された一般的なミラーであり、上部キャビネット１１の背面壁２１の内側に、台形状の長辺が上側となるように傾斜して取り付けられる。このミラー１５の傾斜角は、前面側のスクリーン１４と光学ユニット４０の後述する投射レンズによる映像の反射との設定された位置関係に基づいて設定されている。
【００２４】
[1-1-4．光学ユニットの構成]
図７は、光学ユニット４０を模式的に示す図である。
光学ユニット４０は、光源装置を構成する光源ランプから射出された光束を光学的に処理して画像情報に対応した光学像を形成し、この光学像を拡大投射するユニットである。この光学ユニット４０は、図７に示すように、インテグレータ照明光学系４１と、色分離光学装置４２と、リレー光学系４３と、電気光学装置４４と、プリズム４８と、投射光学装置としての投射レンズ４６と、光学部品用筐体としてのライトガイド４７とを備える。
【００２５】
インテグレータ照明光学系４１は、電気光学装置４４を構成する後述する３つの光変調装置の画像形成領域をほぼ均一に照明するための光学系である。このインテグレータ照明光学系４１は、光源装置４１１と、第１レンズアレイ４１２と、第２レンズアレイ４１３と、偏光変換素子４１４と、重畳レンズ４１５とを備える。
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。
光源ランプ４１６としては、高圧水銀ランプを採用している。なお、高圧水銀ランプ以外に、メタルハライドランプやハロゲンランプ等も採用できる。
リフレクタ４１７としては、放物面鏡を採用している。なお、放物面鏡の代わりに、平行化凹レンズおよび楕円面鏡を組み合わせたものを採用してもよい。
【００２６】
第１レンズアレイ４１２は、光軸方向から見てほぼ矩形状の輪郭を有する小レンズがマトリクス状に配列された構成を有し、各小レンズは、光源ランプ４１６から射出された光束を複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を後述する光変調装置上に結像させる機能を有する。
【００２７】
偏光変換素子４１４は、第２レンズアレイ４１３と重畳レンズ４１５との間に配置される。このような偏光変換素子４１４は、第２レンズアレイ４１３からの光を略１種類の偏光光に変換するものであり、これにより、電気光学装置４４での光の利用効率が高められている。
具体的に、偏光変換素子４１４によって略１種類の偏光光に変換された各部分光は、重畳レンズ４１５によって最終的に電気光学装置４４の後述する光変調装置上にほぼ重畳される。偏光光を変調するタイプの光変調装置を用いたプロジェクションテレビ１０では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光束を略１種類の偏光光に変換し、電気光学装置４４での光の利用効率を高めている。
なお、このような偏光変換素子４１４は、例えば特開平８−３０４７３９号公報に紹介されている。
【００２８】
色分離光学装置４２は、２枚のダイクロイックミラー４２１，４２２と、反射ミラー４２３とを備え、ダイクロイックミラー４２１，４２２によりインテグレータ照明光学系４１から射出された複数の部分光束を赤（Ｒ）、緑（Ｇ）、青（Ｂ）の３色の色光に分離する機能を有している。
【００２９】
リレー光学系４３は、入射側レンズ４３１と、リレーレンズ４３３と、反射ミラー４３２，４３４とを備え、色分離光学装置４２で分離された色光である赤色光を電気光学装置４４の後述する赤色光用の光変調装置まで導く機能を有している。
【００３０】
この際、色分離光学装置４２のダイクロイックミラー４２１では、インテグレータ照明光学系４１から射出された光束の赤色光成分と緑色光成分とが透過するとともに、青色光成分が反射する。ダイクロイックミラー４２１によって反射した青色光は、反射ミラー４２３で反射し、フィールドレンズ４１８を通って、電気光学装置４４の後述する青色光用の光変調装置に到達する。このフィールドレンズ４１８は、第２レンズアレイ４１３から射出された各部分光束をその中心軸（主光線）に対して平行な光束に変換する。他の緑色光用、赤色光用の光変調装置の光束入射側に設けられたフィールドレンズ４１８も同様である。
【００３１】
また、ダイクロイックミラー４２１を透過した赤色光と緑色光のうちで、緑色光は、ダイクロイックミラー４２２によって反射し、フィールドレンズ４１８を通って、緑色光用の光変調装置に到達する。一方、赤色光は、ダイクロイックミラー４２２を透過してリレー光学系４３を通り、さらにフィールドレンズ４１８を通って、赤色光用の光変調装置に到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００３２】
電気光学装置４４は、入射された光束を画像情報に応じて変調してカラー画像を形成するものであり、色分離光学装置４２で分離された各色光が入射される３つの入射側偏光板４４２と、各入射側偏光板４４２の後段に配置される３つの光変調装置４４０と、各光変調装置４４０の後段に配置される３つの射出側偏光板４４３と、色合成光学装置としてのクロスダイクロイックプリズム４４４とを備える。そして、これら各部材のうち、光変調装置４４０、射出側偏光板４４３、およびクロスダイクロイックプリズム４４４は、一体的にユニット化され電気光学装置本体４４Ａを構成している。
入射側偏光板４４２は、色分離光学装置４２で分離された各色光のうち、一定方向の偏光光のみ透過させ、その他の光束を吸収するものであり、水晶、サファイア等の基板に偏光膜が貼付されたものである。
なお、電気光学装置本体４４Ａの詳細については、後述する。
【００３３】
プリズム４８は、電気光学装置４４の光束射出側に配置され、この電気光学装置４４で形成されたカラー画像を投射レンズ４６の方向、すなわち前方向に射出されたカラー画像を上方向へと折り曲げて反射するものである。
投射レンズ４６は、プリズム４８で反射されたカラー画像を拡大して、ミラー１５に投射するものである。この投射レンズ４６は、鏡筒内に複数のレンズが収納された組みレンズとして構成されている。
【００３４】
ライトガイド４７は、合成樹脂から構成され、上述した各光学系４１〜４４、４８を収納保持するものであり、具体的な図示は省略するが、各光学部品４１２〜４１５，４１８，４２１〜４２３，４３１〜４３４，４４２を上方からスライド式に嵌め込む溝部が形成された下ライトガイドと、前記下ライドガイドの上部の開口側（電気光学装置本体４４Ａの上方側を除く部分）を閉塞する蓋状の上ライトガイドとを備えて構成される。
【００３５】
[1-1-5．電気光学装置本体の構造]
図８は、電気光学装置本体４４Ａの構造を示す斜視図である。なお、図８は、Ｇ色光およびＲ色光側から電気光学装置本体４４Ａを見た図であり、Ｇ色光およびＲ色光側と同様の構造となっているものとする。
電気光学装置本体４４Ａは、図８に示すように、３つの光変調装置４４０と、３つの射出側偏光板４４３（図７）と、各光変調装置４４０および各射出側偏光板４４３を支持する支持体４４５と、支持体４４５、光変調装置４４０、および射出側偏光板４４３の部材間に適宜介装される熱伝導性部材４４６と、クロスダイクロイックプリズム４４４と、このクロスダイクロイックプリズム４４４の上面に固定される台座４４７と、この台座４４７の上面に固定される放熱装置としての放熱部材４４８とを備える。
光変調装置４４０は、色分離光学装置４２で分離され、入射側偏光板４４２（図７）を介した各色光を画像情報に応じて変調する３つの液晶パネル４４１Ｒ，４４１Ｇ，４４１Ｂ（赤色光用の液晶パネルを４４１Ｒ、緑色光用の液晶パネルを４４１Ｇ、青色光用の液晶パネルを４４１Ｂとする）と、これら液晶パネル４４１Ｒ，４４１Ｇ，４４１Ｂを保持する保持枠４４９とを備える。
【００３６】
液晶パネル４４１Ｒ，４４１Ｇ，４４１Ｂは、例えば、ポリシリコンＴＦＴ（Thin Film Transistor）をスイッチング素子として用いたものであり、対向配置される一対の透明基板内に液晶が密封封入されている。また、具体的な図示は省略するが、前記一対の透明基板の光束入射側および光束射出側の双方には、サファイア等からなる防塵ガラスが密着して貼り付けられている。そして、この防塵ガラスにより、前記一対の透明基板外面を被覆して塵埃の付着を防止する。
そして、この液晶パネル４４１Ｒ，４４１Ｇ，４４１Ｂは、入射側偏光板４４２を介して入射する光束を画像情報に応じて変調して射出する。
【００３７】
保持枠４４９は、図８に示すように、略中央部分に光束透過用の開口部４４９Ａが形成された矩形状の枠体であり、内部にて各液晶パネル４４１Ｒ，４４１Ｇ，４４１Ｂを収納保持する。この保持枠４４９は、表面にブラックアルマイト処理が施されたアルミニウム合金等の熱伝導性部材から構成されている。
また、この保持枠４４９において、開口部４４９Ａ周縁の四隅部分には、表裏を貫通する孔４４９Ｂが形成され、支持体４４５の後述するピンを挿通可能に構成されている。
なお、支持体４４５による光変調装置４４０の支持構造の詳細については、支持体４４５の構造を説明する際に、同時に説明する。
【００３８】
射出側偏光板４４３は、入射側偏光板４４２と同様の構成を有し、液晶パネル４４１Ｒ，４４１Ｇ，４４１Ｂから射出された光束のうち、一定方向の偏光光のみ透過させ、その他の光束を吸収する。そして、上述した入射側偏光板４４２、液晶パネル４４１Ｒ，４４１Ｇ，４４１Ｂ、および射出側偏光板４４３によって、画像情報に応じて変調された光学像を形成する。
なお、支持体４４５による射出側偏光板４４３の支持構造の詳細については、支持体４４５の構造を説明する際に、同時に説明する。
クロスダイクロイックプリズム４４４は、各射出側偏光板４４３（図７）を介した光学像を合成してカラー画像を形成し、所定方向に射出するものであり、具体的な図示は省略するが、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
【００３９】
図９および図１０は、支持体４４５の構造、および支持体４４５による光変調装置４４０および射出側偏光板４４３の支持構造を示す分解斜視図である。具体的に、図９は、支持体４４５による光変調装置４４０の支持構造を光束入射側から見た分解斜視図である。また、図１０は、支持体４４５による射出側偏光板４４３の支持構造を光束射出側から見た分解斜視図である。
支持体４４５は、表面にブラックアルマイト処理が施されたアルミニウム合金製の部材であり、図９および図１０に示すように、略中央部分に光束透過用の開口部４４５Ａ１を有する矩形板状体４４５Ａと、矩形板状体４４５Ａの上下端縁から略法線方向にそれぞれ突出する第１突出部４４５Ｂおよび第２突出部４４５Ｃとを備え、側面視略コ字状に形成されている。そして、この支持体４４５は、熱伝導性部材４４６を介して光変調装置４４０および射出側偏光板４４３を熱伝達可能に支持固定する。
【００４０】
矩形板状体４４５Ａにおいて、その光束入射側端面には、図９に示すように、開口部４４５Ａ１の周縁に、光変調装置４４０を構成する保持枠４４９の４つの孔４４９Ｂに対応して、法線方向に突出する４つのピン状部４４５Ａ２が形成されている。そして、この４つのピン状部４４５Ａ２は、光変調装置４４の保持枠４４９に形成された４つの孔４４９Ｂに挿通され、熱伝導性の接着剤によりピン状部４４５Ａ２の外周面と孔４４９Ｂの内周面とが接着固定されることで、光変調装置４４０が支持体４４５のコ字状内側に支持固定される。
また、光束射出側端面には、図１０に示すように、開口部４４５Ａ１の周縁に、厚み方向に窪み、射出側偏光板４４３を支持する凹部としての支持面４４５Ａ３が形成されている。また、支持面４４５Ａ３の上端縁略中央部分から支持体４４５の上方側にかけて、支持面４４５Ａ３と略面一となる平面視略凸字状の凹部が形成され、この凹部は、熱伝導性部材４４６が貼り付けられる貼付面４４５Ａ４とされる。
【００４１】
第１突出部４４５Ｂは、支持体４４５をクロスダイクロイックプリズム４４４の各光束入射端面に対向した状態で台座４４７に固定する部分であり、その上面には、図９および図１０に示すように、固定用孔４４５Ｂ１が形成されている。
第２突出部４４５Ｃは、電気光学装置本体４４Ａ全体をライトガイド４７の底面に固定する部分であり、図９に示すように、固定用孔４４５Ｃ１が形成されている。なお、第２突出部４４５Ｃは、電気光学装置本体４４Ａ全体をライトガイド４７の底面に固定する機能の他、例えば、ヒートシンク等の放熱装置等の他の部材を支持固定する部材として機能させてもよい。
【００４２】
熱伝導性部材４４６は、端面に適宜接着剤が塗布された厚みの薄いシート状に形成され、光変調装置４４０および支持体４４５、射出側偏光板４４３および支持体４４５を熱伝達可能に接続する。この熱伝導性部材４４６は、例えば、グラファイトシート、熱伝導性両面テープ、熱伝導性シート、銅板等にて構成できる。そして、この熱伝導性部材４４６は、光変調装置４４０および支持体４４５を熱伝達可能に接続するパネル用熱伝導性部材４４６Ａ（図９）と、射出側偏光板４４３および支持体４４５を熱伝達可能に接続する偏光板用熱伝導性部材４４６Ｂ（図１０）とを備える。
【００４３】
なお、パネル用熱伝導性部材４４６Ａおよび偏光板用熱伝導性部材４４６Ｂはそれぞれ、光変調装置４４０および支持体４４５、射出側偏光板４４３および支持体４４５を熱伝達可能に接続すればよく、その形状は特に限定されない。例えば、本実施形態では、パネル用熱伝導性部材４４６Ａは、図９に示すように、平面視コ字形状のパネル用第１熱伝導性部材４４６Ａ１と、平面視矩形形状のパネル用第２熱伝導性部材４４６Ａ２とで構成される。そして、パネル用第１熱伝導性部材４４６Ａ１およびパネル用第２熱伝導性部材４４６Ａ２は、保持枠４４９内に液晶パネル４４１Ｒ，４４１Ｇ，４４１Ｂが収納された状態で、液晶パネル４４１Ｒ，４４１Ｇ，４４１Ｂの光束射出側に位置し保持枠４４９の開口部４４９Ａから露出する図示しない防塵ガラスの端縁に沿って、該防塵ガラスに貼り付けられる。また、光変調装置４４０が支持体４４５のコ字状内側に配置された状態では、パネル用第１熱伝導性部材４４６Ａ１のコ字状先端端縁が光束射出側に折り曲げられ、折り曲げられた部分が支持体４４５の矩形板状体４４５Ａの側面に接着固定される。さらに、パネル用第２熱伝導性部材４４６Ａ２の下方側が支持体４４５の第２突出部４４５Ｃの上面に沿って折り曲げられ、折り曲げられた部分が第２突出部４４５Ｃの上面に接着固定される。
【００４４】
また、偏光板用熱伝導性部材４４６Ｂは、図１０に示すように、平面視コ字形状の偏光板用第１熱伝導性部材４４６Ｂ１と、下方側が平面視コ字形状となり、上側が支持体４４５の貼付面４４５Ａ４に対応して平面視凸字形状となる偏光板用第２熱伝導性部材４４６Ｂ２とで構成されている。そして、偏光板用第１熱伝導性部材４４６Ｂ１は、射出側偏光板４４３と支持体４４５の支持面４４５Ａ３との間に介装され、射出側偏光板４４３が支持体４４５の支持面４４５Ａ３に熱伝達可能に接続する。また、偏光板用第２熱伝導性部材４４６Ｂ２は、射出側偏光板４４３が支持体４４５の支持面４４５Ａ３に支持された状態で、射出側偏光板４４３の上端縁および左右端縁に沿って、下方側のコ字状部分が貼り付けられるとともに、下方側のコ字状先端端縁が光束入射側に折り曲げられ、折り曲げられた部分が支持体４４５の矩形板状体４４５Ａの側面に接着固定される。さらに、偏光板用第２熱伝導性部材４４６Ｂ２の上方側の凸字状部分が支持体４４５の貼付面４４５Ａ４に接着固定される。
【００４５】
台座４４７は、図８に示すように、平面視矩形形状を有するアルミニウム合金製の板体から構成され、クロスダイクロイックプリズム４４４の上面に固定される。この台座４４７は、クロスダイクロイックプリズム４４４および光変調装置４４０を平面的に覆うように配置される。すなわち、電気光学装置本体４４Ａを上方側から見た際、台座４４７により光変調装置４４０およびクロスダイクロイックプリズム４４４が隠れる。
また、台座４４７には、図示は省略するが、支持体４４５の固定用孔４４５Ｂ１に対応して、ねじ等の固定部材を挿通可能とする孔が形成されている。そして、前記孔を介してねじ等の固定部材を支持体４４５の固定用孔４４５Ｂ１に螺合固定することで、各支持体４４５がクロスダイクロイックプリズム４４４の各光束入射端面に対向するように台座４４７の下面に固定される。
また、この台座４４７は、電気光学装置本体４４Ａをライトガイド４７に収納した際、ライトガイド４７を構成する図示しない上ライトガイドの開口部分（電気光学装置本体４４Ａの上方側）を閉塞するように配置される。
【００４６】
放熱部材４４８は、アルミニウム合金等の熱伝導率の高い材料で形成され、矩形状の板体４４８Ａと、板体４４６Ｂ１の上面から上方に向けて突出する複数のピン状部材４４８Ｂとが一体的に構成されたものである。このように複数のピン状部材４４８Ｂを設けることで、放熱部材４４８の表面積を大きくし、熱を放出しやすい構造となる。
なお、上述した保持枠４４９、支持体４４５、放熱部材４４８は、アルミニウム合金に限らず、熱伝導性を有する部材であればよく、例えば、インバーおよび４２Ｎｉ−Ｆｅ等の鉄−ニッケル合金、マグネシウム合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等によって構成してもよい。また、保持枠４４９、支持体４４５、および放熱部材４４８を上述した同一の材料にて構成してもよく、異なる材料にて構成してもよい。
【００４７】
[1-2．冷却構造]
次に、プロジェクションテレビ１０の内部の冷却構造を図面に基づいて説明する。
図１１は、第１の冷却流路５１を示す図である。具体的に、図１１（Ａ）は、プロジェクションテレビ１０の側方から第１の冷却流路５１を見た図であり、図１１（Ｂ）は、プロジェクションテレビ１０の正面側から第１の冷却流路５１を見た図である。
図１２は、電気光学装置本体４４Ａの冷却構造を示す図である。なお、図１２では、Ｇ色光側の冷却構造が示されているが、Ｒ，Ｂ色光側の冷却構造も同様のものとする。
図１３は、第２の冷却流路５３を示す図である。具体的に、図１３（Ａ）は、プロジェクションテレビ１０の側方から第２の冷却流路５３を見た図であり、図１３（Ｂ）は、プロジェクションテレビ１０の正面側から第２の冷却流路５３を見た図である。
プロジェクションテレビ１０の内部には、図１１および図１３に示すように、プロジェクションテレビ１０を構成する電気光学装置本体４４Ａを主に冷却する第１の冷却流路５１と、光源装置４１１を主に冷却する第２の冷却流路５３とが形成されている。
【００４８】
第１の冷却流路５１では、図１２に示すように、電気光学装置本体４４Ａの上方に位置し、ダクト２５の吸気側に設けられた冷却ファン５２が用いられる。
この冷却ファン５２は、空気の吸入方向と吸入した空気の吐出方向とが同一である軸流ファンで構成され、電気光学装置本体４４Ａの上方の空気を吸い込んで、ダクト２５に向けて吐出する。そして、この冷却ファン５２が駆動することにより、図１１に示すように、電気光学装置本体４４Ａの上方の空気が吸い込まれ、吸い込まれた空気が下部キャビネット３１の切り欠き３７１Ａ１およびミラーケース１２の切り欠き２４Ａを介してダクト２５に吐出される。ダクト２５に吐出された空気は、ミラーケース１２の切り欠き２４Ｂから流出し、ミラーケース１２の側壁２３、背面壁２１、および側壁２２に沿って流通し、再度、冷却ファン５２に吸い込まれる。なお、図１２に示すように、電気光学装置本体４４Ａの台座４４７は、電気光学装置本体４４Ａがライトガイド４７内に収納保持された際、ライトガイド４７の開口部分を閉塞するように配置されている。このため、ミラーケース１２の側壁２３、背面壁２１、および側壁２２に沿って流通し、再度、電気光学装置本体４４Ａの上方に戻る空気は、台座４４７により流路が規制され、すなわち、光変調装置４４０側に向かうことなく、冷却ファン５２に吸い込まれる。このように冷却ファン５２により、ミラーケース１２およびスクリーン１４等により形成される内部空間を循環する第１の冷却流路５１が形成される。
【００４９】
ところで、電気光学装置本体４４Ａにおいて、液晶パネル４４１Ｒ，４４１Ｇ，４４１Ｂは、光源装置４１１から照射される光束の一部を吸収するため、熱が生じる。また、射出側偏光板４４３も、所定の偏光軸を有する光束を透過し、他の偏光軸を有する光束を吸収するため、熱が生じる。
ここで、射出側偏光板４４３に生じた熱は、図１２に示すように、偏光板用熱伝導性部材４４６Ｂを介して支持体４４５に伝達される。
また、液晶パネル４４１Ｒ，４４１Ｇ，４４１Ｂに生じた熱も略同様に、図１２に示すように、保持枠４４９に伝達され、支持体４４５のピン状部４４５Ａ２、および図１２では図示しないパネル用熱伝導性部材４４６Ａ（図９）を介して支持体４４５に伝達される。
そして、射出側偏光板４４３および液晶パネル４４１Ｒ，４４１Ｇ，４４１Ｂから支持体４４５に伝達された熱は、台座４４７を介して放熱部材４４８に伝達され、放熱部材４４８のピン状部材４４８Ｂを介して、第１の冷却流路５１を流れる冷却空気により冷却される。
【００５０】
第２の冷却流路５３では、図１３に示すように、光学ユニット４０の光源装置４１１上に取り付けられる排気ファン５４が用いられる。
この排気ファン５４は、冷却ファン５２と同様に軸流ファンで構成される。そして、この排気ファン５４が駆動することで、図１３に示すように、下部キャビネット３１の側部パネル３３に形成された吸気口３３１からプロジェクションテレビ１０外部の空気が内部へと引き寄せられ、下部キャビネット３１の設置部３７に形成された孔３７２（図５）を介して光源装置４１１へと導入される。光源装置４１１に導入された空気は、排気ファン５４により吸い込まれる過程で光源装置４１１の光源ランプ４１６およびリフレクタ４１７を冷却する。排気ファン５４に吸い込まれた空気は、ダクト２６に吐出され、ダクト２６およびダクト５５を介して下部キャビネット３１の側部パネル３３に形成された排気口３４１からプロジェクションテレビ１０外部へと排出される。
【００５１】
以上、説明した第１の冷却流路５１および第２の冷却流路５３は、互いに交差しないように設定されている。具体的に、光学ユニット４０において、光源装置４１１と電気光学装置本体４４Ａとの間に介装されるインテグレータ照明光学系４１、色分離光学装置４２、およびリレー光学系４３等がライトガイド４７内に収納されているため、ライトガイド４７内で電気光学装置本体４４Ａから光源装置４１１、または光源装置４１１から電気光学装置本体４４Ａへと空気が流通することがない。また、ライトガイド４７外においても、下部キャビネット３１の設置部３７により、光源装置４１１側と電気光学装置本体４４Ａ側とが仕切られた構成となっており、電気光学装置本体４４Ａ側から光源装置４１１側、または光源装置４１１側から電気光学装置本体４４Ａ側へと空気が流通することがない。
なお、上述した第１の冷却流路５１は、プロジェクションテレビ１０外部と通じることのない密閉された空間内の流路として説明したが、本発明では、第１の冷却流路５１は、プロジェクションテレビ１０外部の空気と通じる流路となる構成としても構わない。また、第１の冷却流路５１および第２の冷却流路５３も同様に、本発明では、互いに交差する、すなわち、互いに空気が流通可能となる構成として構わない。
【００５２】
[1-3．第１実施形態の効果]
上述した第１実施形態によれば、以下の効果がある。
（１）光学ユニット４０は、光変調装置４４０と、クロスダイクロイックプリズム４４４と、ライトガイド４７と、アルミニウム合金からなる台座４４７および支持体４４５と、放熱部材４４８とを備えている。光変調装置４４０は、液晶パネル４４１Ｒ，４４１Ｇ，４４１Ｂがアルミニウム合金からなる保持枠４４９に保持され、保持枠４４９が支持体４４５に熱伝達可能に支持される。また、支持体４４５は、台座４４７に熱伝達可能に支持固定される。さらに、台座４４７は、放熱部材４４８と熱伝達可能に接続する。このことにより、光源装置４１１からの光束が照射されることにより液晶パネル４４１Ｒ，４４１Ｇ，４４１Ｂに生じる熱を、液晶パネル４４１Ｒ，４４１Ｇ，４４１Ｂ〜保持枠４４９〜支持体４４５〜台座４４７〜放熱部材４４８の熱伝達経路にしたがって逃がすことができる。したがって、例えば、冷却ファン５２により光変調装置４４０に直接、冷却空気を送風しなくても液晶パネル４４１Ｒ，４４１Ｇ，４４１Ｂの冷却効率の向上を図れる。
【００５３】
（２）台座４４７は、クロスダイクロイックプリズム４４４および光変調装置４４０を平面的に覆うように配置されるとともに、電気光学装置本体４４Ａがライトガイド４７に収納保持された際にライトガイド４７の開口部分を閉塞するように配置されるので、第１の冷却流路５１にしたがって流れる空気が光変調装置４４０側に向かうことがない。したがって、ライトガイド４７における電気光学装置本体４４Ａの設置位置近傍において、ライトガイド４７の内部が略密閉空間となり、ライトガイド４７外部から光変調装置４４０へと空気の流れにしたがって塵埃がライトガイド４７内部に入り込むことを回避でき、光変調装置４４０の液晶パネル４４１Ｒ，４４１Ｇ，４４１Ｂに塵埃が付着することを防止できる。
【００５４】
（３）支持体４４５の矩形板状体４４５Ａの光束射出端面には、厚み方向に窪む支持面４４５Ａ３が形成されている。そして、射出側偏光板４４３は、支持体４４５の支持面４４５Ａ３に熱伝達可能に貼り付けられている。このことにより、光束の照射により射出側偏光板４４３に生じる熱を、射出側偏光板４４３〜支持体４４５〜台座４４７〜放熱部材４４８の熱伝達経路にしたがって逃がすことができ、射出側偏光板４４３の熱劣化を回避できる。したがって、例えば、冷却ファン５２による強制冷却によらずとも、上記熱伝達経路により射出側偏光板４４３も冷却できる。
（４）射出側偏光板４４３が支持体４４５に貼り付けられると、該射出側偏光板４４３も台座４４７により平面的に覆われるので、光変調装置４４０と同様に、射出側偏光板４４３にも塵埃が付着することを回避できる。
【００５５】
（５）支持体４４５は、矩形板状体４４５Ａ、第１突出部４４５Ｂ、および第２突出部４４５Ｃで構成され、第１突出部４４５Ｂが台座４４７に熱伝達可能に支持固定されるので、例えば、支持体４４５が板状に形成され、板状端縁にて台座４４７に支持固定される構成と比較して、支持体４４５と台座４４７との接触面積を大きくでき、支持体４４５〜台座４４７の熱伝達経路における熱の伝達効率を向上でき、液晶パネル４４１Ｒ，４４１Ｇ，４４１Ｂおよび射出側偏光板４４３の放熱効率をさらに向上できる。
（６）支持体４４５の第２突出部４４５Ｃは、電気光学装置本体４４Ａをライトガイド４７に固定するための固定部として機能するので、電気光学装置本体４４Ａをライトガイド４７に固定するための部材を省略でき、光学ユニット４０の小型化および製造コストの低減を図れる。
【００５６】
（７）光変調装置４４０を構成する保持枠４４９には、４つの孔４４９Ｂが形成され、支持体４４５の矩形板状体４４５Ａには、保持枠４４９の孔４４９Ｂに対応して４つのピン状部４４５Ａ２が形成されているので、保持枠４４９の孔４４９Ｂにピン状部４４５Ａ２を挿通させるように光変調装置４４０を支持体４４５に設置することで、光変調装置４４０の支持体４４５への取り付けを容易に実施でき、光学ユニット４０の組み立て作業を容易に実施できる。また、光変調装置４４０と支持体４４５の矩形板状体４４５Ａとの間の隙間に、例えば、ドライバ等の先端を挿入することで、支持体４４５から光変調装置４４０を容易に取り外すことができ、光変調装置４４０のリワーク性も向上する。
【００５７】
（８）支持体４４５および光変調装置４４０の保持枠４４９は、表面にブラックアルマイト処理が施されているので、液晶パネル４４１Ｒ，４４１Ｇ，４４１Ｂおよび射出側偏光板４４３から伝達された熱を、台座４４７等へと伝達するとともに、支持体４４５および保持枠４４９の表面から空気中に放射することができる。したがって、液晶パネル４４１Ｒ，４４１Ｇ，４４１Ｂおよび射出側偏光板４４３の冷却効率の向上をさらに図れる。
【００５８】
（９）電気光学装置本体４４Ａは、熱伝導性部材４４６を備える。そして、熱伝導性部材４４６を構成するパネル用熱伝導性部材４４６Ａのパネル用第１熱伝導性部材４４６Ａ１およびパネル用第２熱伝導性部材４４６Ａ２は、液晶パネル４４１Ｒ，４４１Ｇ，４４１Ｂの光束射出側に位置する防塵ガラスに貼り付けられるとともに、支持体４４５に貼り付けられ、液晶パネル４４１Ｒ，４４１Ｇ，４４１Ｂおよび支持体４４５を熱伝達可能に接続する。このことにより、液晶パネル４４１Ｒ，４４１Ｇ，４４１Ｂ〜保持枠４４９の熱伝達経路の他、液晶パネル４４１Ｒ，４４１Ｇ，４４１Ｂ〜パネル用熱伝導性部材４４６Ａ〜支持体４４５の他の熱伝達経路を確保でき、液晶パネル４４１Ｒ，４４１Ｇ，４４１Ｂの冷却効率をさらに向上させることができる。
【００５９】
（１０）熱伝導性部材４４６を構成する偏光板用熱伝導性部材４４６Ｂの偏光板用第１熱伝導性部材４４６Ｂ１は、射出側偏光板４４３と支持体４４５の支持面４４５Ａ３との間に介装され、射出側偏光板４４３と支持体４４５とを熱伝達可能に接着固定する。このことにより、射出側偏光板４４３〜支持体４４５の熱伝達経路における熱抵抗を小さくでき、射出側偏光板４４３の放熱効率をさらに向上できる。
（１１）偏光板用熱伝導性部材４４６Ｂの偏光板用第２熱伝導性部材４４６Ｂ２は、支持体４４５の支持面４４５Ａ３に貼り付けられた射出側偏光板４４３の光束射出側端面と支持体４４５の矩形板状体４４５Ａの光束射出端面とを熱伝達可能に接続する。このことにより、射出側偏光板４４３の光束入射側端面から支持体４４５に熱伝達される経路の他、射出側偏光板４４３の光束射出側端面から支持体４４５に熱伝達される経路を確保でき、射出側偏光板４４３の放熱効率をさらに一層向上できる。
【００６０】
（１２）支持体４４５の矩形板状体４４５Ａの光束射出側端面には、偏光板用熱伝導性部材４４６Ｂの偏光板用第２熱伝導性部材４４６Ｂ２を貼り付けるための貼付面４４５Ａ４が形成されているので、偏光板用第２熱伝導性部材４４６Ｂ２を射出側偏光板４４３の光束射出側端面に貼り付けるとともに、貼付面４４５Ａ４に貼り付けることで、偏光板用第２熱伝導性部材４４６Ｂ２と支持体４４５との接触面積を大きくでき、射出側偏光板４４３〜支持体４４５の熱伝達経路における熱の伝達経路をさらに向上でき、射出側偏光板４４３の放熱効率をさらに一層向上できる。
【００６１】
（１３）プロジェクションテレビ１０は、液晶パネル４４１Ｒ，４４１Ｇ，４４１Ｂ等の光学素子に塵埃等が付着することを防止できる光学ユニット４０を備えているので、付着した塵埃等が投射画像上に表示陰として映りこむことを回避でき、常に鮮明な投射画像を表示できる。
（１４）プロジェクションテレビ１０は、上述した光学ユニット４０と、この光学ユニット４０の電気光学装置本体４４Ａを冷却する冷却ファン５２を備えているので、上述した電気光学装置本体４４Ａにおける熱伝達経路による放熱構造と、冷却ファン５２とを併用することで、電気光学装置本体４４Ａの冷却効率をさらに向上できる。
（１５）電気光学装置本体４４Ａは、上述した熱伝達経路にしたがって放熱することができるため、冷却ファン５２の送風量をそれほど高くする必要がなく、冷却ファン５２を併用した場合であっても、プロジェクションテレビ１０の静粛性を十分に確保できる。また、冷却ファン５２の送風量をそれほど高くする必要がないので、冷却ファン５２の小型化を図れ、プロジェクションテレビ１０を大型化することがない。
【００６２】
[２．第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、電気光学装置４４は、入射側偏光板４４２以外の、光変調装置４４０、射出側偏光板４４３、クロスダイクロイックプリズム４４４、支持体４４５、熱伝導性部材４４６、台座４４７、および放熱部材４４８が一体化されて電気光学装置本体４４Ａを構成している。
これに対して第２実施形態では、電気光学装置４４Ｂは、電気光学装置本体４４Ａと入射側偏光板４４２とが一体化した構成を有している。
【００６３】
[2-1.電気光学装置の構造]
図１４は、第２実施形態における電気光学装置４４Ｂの構造を示す図である。なお、図１４では、Ｇ色光側の構造のみが示されているが、Ｒ，Ｂ色光側の構造も同様のものとする。
電気光学装置４４Ｂは、図１４に示すように、第１実施形態で説明した光変調装置４４０、入射側偏光板４４２、射出側偏光板４４３、クロスダイクロイックプリズム４４４、支持体４４５、熱伝導性部材４４６、台座４４７、および放熱部材４４８の他、入射側光学変換素子支持枠としての入射側偏光板支持枠４５０と、入射側偏光板用熱伝導性部材４４６Ｃとを備える。そして、これら各部材４４０，４４２〜４４８，４４６Ｃ，４５０が一体的にユニット化されている。
入射側偏光板支持枠４５０は、略中央部分に光束透過用の図示しない開口を有し、表面にブラックアルマイト処理が施されたアルミニウム合金製の矩形板状体で構成され、支持体４４５の第１突出部４４５Ｂの先端に図示しないねじ等により熱伝達可能に取り付けられる。
入射側偏光板用熱伝導性部材４４６Ｃは、第１実施形態で説明した熱伝導性部材４４６と同様の材料にて構成され、略中央部分に光束透過用の図示しない開口を有する矩形枠状に形成されている。そして、この入射側偏光板用熱伝導性部材４４６Ｃは、入射側偏光板４４２の光束射出側端面の端縁に沿って貼り付けられるとともに、入射側偏光板用熱伝導性部材４４６Ｃの図示しない開口周縁に接着固定され、入射側偏光板４４２を入射側偏光板支持枠４５０に熱伝達可能に接着固定する。
【００６４】
[2-2.第２実施形態の効果]
上述した第２実施形態によれば、上記（１）〜（１５）の他、以下の効果がある。
（１６）入射側偏光板４４２は、アルミニウム合金製の入射側偏光板支持枠４５０により熱伝達可能に支持固定される。そして、入射側偏光板支持枠４５０は、支持体４４５の第１突出部４４５Ｂの先端に熱伝達可能に取り付けられる。このことにより、光束の照射により入射側偏光板４４２に生じる熱を、入射側偏光板４４２〜入射側偏光板支持枠４５０〜支持体４４５〜台座４４７〜放熱部材４４８の熱伝達経路にしたがって逃がすことができ、入射側偏光板４４２の熱劣化を回避できる。したがって、例えば、入射側偏光板４４２に冷却空気を送風して該入射側偏光板４４２の強制冷却を実施しなくても、上記熱伝達経路により入射側偏光板４４２も冷却できる。
【００６５】
（１７）入射側偏光板４４２を入射側偏光板支持枠４５０により光変調装置４４０の光束入射側に配置することで、光変調装置４４０の液晶パネル４４１Ｒ，４４１Ｇ，４４１Ｂへの塵埃の付着をさらに防止できる。
（１８）入射側偏光板４４２も台座４４７により平面的に覆われる構成であるので、光変調装置４４０および射出側偏光板４４３と同様に、入射側偏光板４４２にも塵埃が付着することを回避できる。
【００６６】
[３．第３実施形態]
次に、本発明の第３実施形態を図面に基づいて説明する。
以下の説明では、前記第１実施形態と同様の構造および同一部材には同一符号を付して、その詳細な説明は省略または簡略化する。
前記第１実施形態では、放熱装置として放熱部材４４８を採用している。
これに対して第２実施形態では、放熱装置として、放熱部材４４８の他、ペルチェモジュール４４８Ｃを採用している。すなわち、前記第１実施形態に対して放熱装置の構成が異なるのみである。
【００６７】
[3-1.電気光学装置本体の構造]
図１５は、第３実施形態における電気光学装置本体４４Ｃの構造を示す図である。なお、図１５では、Ｇ色光側の構造のみが示されているが、Ｒ，Ｂ色光側の構造も同様のものとする。
電気光学装置本体４４Ｃは、図１５に示すように、第１実施形態で説明した光変調装置４４０、射出側偏光板４４３、クロスダイクロイックプリズム４４４、支持体４４５、熱伝導性部材４４６、台座４４７、および放熱部材４４８の他、ペルチェモジュール４４８Ｃを備える。そして、これら各部材４４０，４４３〜４４８，４４８Ｃが一体的にユニット化されている。
ペルチェモジュール４４８Ｃは、具体的な図示は省略するが、ｐ型半導体とｎ型半導体とを金属片で接合して構成した接合対を複数有しており、これら複数の接合対は電気的に直列に接続され、図示しない制御基板に実装されたＣＰＵ（Central Processing Unit）等の演算処理装置による制御の下、ｎ型半導体からｐ型半導体へ、またはｐ型半導体からｎ型半導体へと直流電流が流れる。
ここで、ｎ型半導体からｐ型半導体へ直流電流を流すと、金属片が冷却されて周囲から熱を奪うことができるようになる。逆にｐ型半導体からｎ型半導体へ直流電流を流すと、金属片が加熱され、周囲に熱を放出することができるようになる。
【００６８】
このような構成を有するペルチェモジュール４４８Ｃにおいて、直流電流を流すと、ペルチェモジュール４４８Ｃの一方の面が熱を吸収する吸熱部分となり、他方の面が熱を発生する発熱部分となる。なお、電流の向きを変えることによって吸熱部分と発熱部分との切換が可能となる。
本実施形態では、ペルチェモジュール４４８Ｃに流す直流電流は、一方向に固定され、ペルチェモジュール４４８Ｃにおける吸熱部分４４８Ｃ１および発熱部分４４８Ｃ２の箇所が固定されている。そして、ペルチェモジュール４４８Ｃの吸熱部分４４８Ｃ１は、図１５に示すように、台座４４７の上面に直接接続する。また、ペルチェモジュール４４８Ｃの発熱部分４４８Ｃ２は、放熱部材４４８の板体４４８Ａの下面に接続する。
そして、ペルチェモジュール４４８Ｃは、図示しない制御基板に実装されたＣＰＵ等の演算処理装置による制御の下、直流電流が流れることにより、台座４４７に伝達された熱を吸熱部分４４８Ｃ１により吸収するとともに、発熱部分４４８Ｃ２で放熱部材４４８に放出する。放熱部材４４８に伝達された熱は、ピン状部材４４８Ｂを介して、第１の冷却流路５１を流れる冷却空気により冷却される。
【００６９】
[3-2.第３実施形態の効果]
上述した第３実施形態によれば、上記（１）〜（１５）の他、以下の効果がある。
（１９）電気光学装置本体４４Ｃは、ペルチェモジュール４４８Ｃを備えることにより、冷却空気を利用しないで台座４４７の強制冷却を実施できるので、第１実施形態で説明した台座４４７〜放熱部材４４８の熱伝達経路にしたがう自然熱伝達の構造と比較して、液晶パネル４４１Ｒ，４４１Ｇ，４４１Ｂおよび射出側偏光板４４３の冷却効率をさらに一層向上させることができる。
【００７０】
[４．実施形態の変形]
以上、本発明について好適な実施形態を挙げて説明したが、本発明は、この実施形態に限定されるものではなく、本発明の要旨を逸脱しない範囲において種々の改良並びに設計の変更が可能である。
前記各実施形態では、プロジェクションテレビ１０内に冷却ファン５２による第１の冷却流路５１が形成され、電気光学装置本体４４Ａ，４４Ｃおよび電気光学装置４４Ｂの放熱部材４４８が強制冷却されていたが、冷却ファン５２を省略した構成も本発明に含まれるものである。また、冷却ファン５２を採用する場合、その位置は、前記実施形態で説明した位置に限らず、電気光学装置本体４４Ａ，４４Ｃおよび電気光学装置４４Ｂを構成する放熱部材４４８の側方に配置し、該放熱部材４４８に冷却空気を送風、または該放熱部材４４８近傍の空気を吸入する構成としてもよい。
【００７１】
前記各実施形態では、台座４４７は、クロスダイクロイックプリズム４４４の上面にのみ取り付けられていたが、これに限らず、クロスダイクロイックプリズム４４４の下面に取り付ける構成、上面および下面の双方に取り付ける構成を採用してもよい。台座４４７をクロスダイクロイックプリズム４４４の下面に取り付ける構成では、台座４４７に放熱部材４４８を熱伝達可能に接続し、この放熱部材４４８を、例えば、第２の冷却流路５３を流れる流路内に設置すれば、放熱部材４４８の強制冷却を実施できる。また、この構成において、クロスダイクロイックプリズム４４４の上面および下面にそれぞれ台座４４７および放熱部材４４８を取り付ければ、電気光学装置本体４４Ａ，４４Ｃおよび電気光学装置４４Ｂの冷却効率をさらに向上させることができる。
前記各実施形態では、台座４４７は、ライトガイド４７を構成する図示しない上ライトガイドの開口部分を閉塞する形状を有していたが、これに限らない。例えば、ライトガイド４７を容器状に形成し、台座４４７にてライトガイド４７の開口部分全体を閉塞する形状を有する構成としてもよい。
【００７２】
前記第１実施形態および前記第２実施形態では、放熱装置として、放熱部材４４８を採用した構成を説明し、前記第３実施形態では、放熱装置として、放熱部材４４８およびペルチェモジュール４４８Ｃを採用した構成を説明したが、放熱装置はこれに限らない。例えば、液冷ジャケット、ヒートパイプ等の放熱装置を採用した構成としてもよい。また、液冷ジャケット、ヒートパイプ等の放熱装置と、放熱部材４４８および／またはペルチェモジュール４４８Ｃとを組み合わせた構成としてもよい。例えば、液冷ジャケットまたはヒートパイプ等により台座４４７の熱をプロジェクションテレビ１０内の空きスペースまで導き、該空きスペースにおいて放熱部材４４８および／またはペルチェモジュール４４８Ｃにより放熱させる構成とすることもできる。このような構成では、プロジェクションテレビ１０の設計の自由度が高まるとともに、放熱装置を含む電気光学装置本体４４Ａ，４４Ｃおよび電気光学装置４４Ｂがプロジェクションテレビ１０の小型化の障害となることを回避でき、プロジェクションテレビ１０の小型化が図りやすくなる。また、このような構成では、空きスペースに配置される放熱部材４４８および／またはペルチェモジュール４４８Ｃに、例えば、第２の冷却流路５３にて用いられる排気ファン５４により空気を送風する構成とすれば、冷却効率をさらに高めることができる。また、排気ファン５４を電気光学装置本体４４Ａ，４４Ｃおよび電気光学装置４４Ｂの冷却にも寄与させることができ、ファンの数量を削減することが可能となる。
前記各実施形態では、放熱装置の放熱部として、複数のピン状部材４４８Ｂを採用した構成を説明したが、ピン状に限らない。放熱装置の表面積を大きくできる形状であればよく、例えば、板体４４８Ａ上面に略直交するように複数の板状体が並列配置されている構造を採用してもよい。
【００７３】
前記第１実施形態および前記第３実施形態では、射出側光学変換素子として射出側偏光板４４３を採用し、前記第２実施形態では、入射側光学変換素子として入射側偏光板４４２を採用していたが、これに限らない。入射側光学変換素子および射出側光学変換素子として、例えば、位相差板または視野角補正板等を採用してもよい。
前記第２実施形態では、入射側偏光板支持枠４５０は、支持体４４５の第１突出部４４５Ｂの先端に取り付けられていたが、これに限らず、台座４４７の下面に熱伝達可能に取り付ける構成を採用してもよい。
【００７４】
前記各実施形態では、パネル用熱伝導性部材４４６Ａは、液晶パネル４４１Ｒ，４４１Ｇ，４４１Ｂと支持体４４５とを熱伝達可能に接続していたが、これに限らず、保持枠４４９と支持体４４５とを熱伝達可能に接続してもよい。
前記各実施形態では、３つの光変調装置４４０を用いたプロジェクションテレビ１０の例のみを挙げたが、本発明は、１つの光変調装置のみを用いたプロジェクションテレビ、２つの光変調装置を用いたプロジェクションテレビ、あるいは、４つ以上の光変調装置を用いたプロジェクションテレビにも適用可能である。
前記各実施形態では、光学ユニット４０をリアプロジェクタとしてのプロジェクションテレビ１０に搭載した構成を説明したが、本発明は、フロント投射型のプロジェクタにも適用可能である。
【００７５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００７６】
本発明の光学装置は、光変調装置等の光学素子に直接、冷却空気を送風しなくても冷却効率の向上を図れるとともに、塵埃付着を防止できるため、リアプロジェクタに用いられる光学装置として有用である。
【図面の簡単な説明】
【００７７】
【図１】第１実施形態に係るリアプロジェクタとしてのプロジェクションテレビの正面側斜視図。
【図２】前記実施形態におけるプロジェクションテレビの背面側斜視図。
【図３】前記実施形態におけるプロジェクションテレビの内部構造を示す図。
【図４】前記実施形態におけるミラーケースを正面側から見た斜視図。
【図５】前記実施形態における下部キャビネットの正面側斜視図。
【図６】図４に示す上部キャビネットと図５に示す下部キャビネット３１とを組み合わせた図。
【図７】前記実施形態における光学ユニットを模式的に示す図。
【図８】前記実施形態における電気光学装置本体の構造を示す斜視図。
【図９】前記実施形態における支持体の構造、および支持体による光変調装置の支持構造を示す分解斜視図。
【図１０】前記実施形態における支持体の構造、および支持体による射出側偏光板の支持構造を示す分解斜視図。
【図１１】前記実施形態における第１の冷却流路を示す図。
【図１２】前記実施形態における電気光学装置本体の冷却構造を示す図。
【図１３】前記実施形態における第２の冷却流路を示す図。
【図１４】第２実施形態における電気光学装置の構造を示す図。
【図１５】第３実施形態における電気光学装置本体の構造を示す図。
【符号の説明】
【００７８】
１０・・・プロジェクションテレビ（リアプロジェクタ）、１１・・・上部キャビネット（筐体）、１４・・・スクリーン（透過型スクリーン）、３１・・・下部キャビネット（筐体）、４２・・・色分離光学装置、４６・・・投射レンズ（投射光学装置）、４７・・・ライトガイド（光学部品用筐体）、４１１・・・光源装置、４４０・・・光変調装置、４４１Ｒ，４４１Ｇ，４４１Ｂ・・・液晶パネル（光変調素子）、４４２・・・入射側偏光板（入射側光学変換素子）、４４３・・・射出側偏光板（射出側光学変換素子）、４４４・・・クロスダイクロイックプリズム（色合成光学装置）、４４５・・・支持体、４４５Ａ・・・矩形板状体、４４５Ａ１・・・開口部、４４５Ａ２・・・ピン状部、４４５Ａ３・・・支持面（凹部）、４４５Ｂ・・・第１突出部、４４５Ｃ・・・第２突出部、４４６・・・熱伝導性部材、４４７・・・台座、４４８・・・放熱部材（放熱装置）、４４８Ｃ・・・ペルチェモジュール（放熱装置）、４４９・・・保持枠、４４９Ａ・・・開口部、４４９Ｂ・・・孔、４５０・・・入射側偏光板支持枠（入射側光学変換素子支持枠）。
【図１】
2005114997.tif 000003
【図２】
2005114997.tif 000004
【図３】
2005114997.tif 000005
【図４】
2005114997.tif 000006
【図５】
2005114997.tif 000007
【図６】
2005114997.tif 000008
【図７】
2005114997.tif 000009
【図８】
2005114997.tif 000010
【図９】
2005114997.tif 000011
【図１０】
2005114997.tif 000012
【図１１】
2005114997.tif 000013
【図１２】
2005114997.tif 000014
【図１３】
2005114997.tif 000015
【図１４】
2005114997.tif 000016
【図１５】
2005114997.tif 000017